(57)【要約】  不均等３分配器は、入力信号を中央と両端とで電力比が異なる同相の信号に３分配する。不均等３分配器は、入力端子と、３分配された信号を出力する３つの出力端子を備え、入力端子と３つの出力端子の間には、入力端子から分岐した３つの伝送線路が設けられる。中央の出力端子に接続された伝送線路は、直列に接続された第１の伝送線路及び電気長が１／４波長の第２の伝送線路を有する。両端の出力端子に接続された２つの伝送線路のそれぞれは、直列に接続された第３の伝送線路及び電気長が１／４波長の第４の伝送線路を有する。第１の伝送線路と第２の伝送線路の接続点と、第３の伝送線路と第４の伝送線路の接続点の間には吸収抵抗が設けられている。第１の伝送線路又は第３の伝送線路の電気長が１／４波長である。
2008038576.tif 000002
【特許請求の範囲】
【請求項１】
入力信号を中央と両端で電力比が異なる同相の信号に３分配する不均等３分配器であって、
前記入力信号が入力される入力端子と、
前記３分配された信号をそれぞれ出力する３つの出力端子と、
前記入力端子と前記３つの出力端子の間に設けられた、前記入力端子から分岐して前記３つの出力端子のそれぞれに接続された３つの伝送線路と、を備え、
前記３つの伝送線路の内、中央の出力端子に接続された伝送線路は、直列に接続された第１の伝送線路及び電気長が１／４波長の第２の伝送線路を有し、
前記３つの伝送線路の内、両端の出力端子に接続された２つの伝送線路のそれぞれは、直列に接続された第３の伝送線路及び電気長が１／４波長の第４の伝送線路を有し、
前記第１の伝送線路と前記第２の伝送線路の接続点と、前記第３の伝送線路と前記第４の伝送線路の接続点の間には吸収抵抗が設けられ、
前記第１の伝送線路又は前記第３の伝送線路の電気長が１／４波長であることを特徴とする不均等３分配器。
【請求項２】
請求項１に記載の不均等３分配器であって、
前記中央の出力端子に接続された伝送線路は、前記第２の伝送線路に直列に接続された第５の伝送線路を有し、
前記両端の出力端子に接続された２つの伝送線路のそれぞれは、前記第４の伝送線路に直列に接続された第６の伝送線路を有し、
前記第１の伝送線路と前記第３の伝送線路の電気長の差ΔＬ１と、前記第５の伝送線路と前記第６の伝送線路の電気長の差ΔＬ２の関係は、ΔＬ２＝−ΔＬ１／４であることを特徴とする不均等３分配器。
【請求項３】
請求項２に記載の不均等３分配器であって、
前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数１】
2008038576.tif 000007
の関係を有することを特徴とする不均等３分配器。
【請求項４】
請求項２に記載の不均等３分配器であって、
前記入力端子と前記３つの伝送線路との間に設けられた、電気長が１／４波長の第７の伝送線路を備え、
前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記第７の伝送線路の特性インピーダンスをＺ２１とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数２】
2008038576.tif 000008
の関係を有することを特徴とする不均等３分配器。
【請求項５】
請求項１に記載の不均等３分配器と、
前記不均等３分配器が備える３つの出力端子のそれぞれに接続された３つのアンテナ素子を有するアレーアンテナと、
を備えることを特徴とするアンテナ装置。
【発明の詳細な説明】
【技術分野】
【０００１】
本発明は、入力信号を３つ信号に分配して出力する不均等３分配器に関する。
【背景技術】
【０００２】
複数の放射素子を有するアレーアンテナの前段には、高周波信号を複数に分配して各放射素子に給電する分配器が設けられる。図１６は、４つの放射素子を有するアレーアンテナ及び４分配器を示す図である。図１６に示す４分配器は、１つの入力端子１と、４つの出力端子２〜５と、３つのウィルキンソン型２分配器（非特許文献１参照）１１１，１１２，１１３と、伝送線路１１５〜１２０とを備える。各出力端子に１つの放射素子１１０が接続されている。入力端子１から４つの出力端子２〜５までの経路は、ウィルキンソン型２分配器１１１，１１２，１１３及び伝送線路１１５〜１２０によって形成された木構造となっている。【０００３】
図１７は、図１６に示した４分配器が備えるウィルキンソン型２分配器の構成を示す図である。図１７に示すように、ウィルキンソン型２分配器は、１つの入力端子６と、２つの出力端子７，８と、伝送線路Ｍ１０１〜Ｍ１０５と、吸収抵抗Ｒ１００とを備える。図１７に示すように、入力端子６から２つの出力端子７，８までの経路は、伝送線路Ｍ１０１の後段で２本に分岐する構造である。【０００４】
分岐した２本の経路の１つは伝送線路Ｍ１０２，Ｍ１０４によって構成され、もう１つは伝送線路Ｍ１０３，Ｍ１０５によって構成されている。伝送線路Ｍ１０２，Ｍ１０３の各電気長は１／４波長である。伝送線路Ｍ１０２，Ｍ１０３の各電気長を１／４波長とすることによって、出力端子７，８から入力端子６への反射波を低減できると共に、出力端子間のアイソレーションを高めることができる。吸収抵抗Ｒ１００は、分岐点から出力端子側へ１／４波長の位置で、２本の経路を結ぶように接続されている。吸収抵抗Ｒ１００を設けることによって、出力端子間のアイソレーションを高めると共に、出力インピーダンスを整合することができる。【０００５】
伝送線路Ｍ１０１の特性インピーダンスをＺ１、伝送線路Ｍ１０２の特性インピーダンスをＺ２、伝送線路Ｍ１０３の特性インピーダンスをＺ３、伝送線路Ｍ１０４の特性インピーダンスをＺ４、伝送線路Ｍ１０５の特性インピーダンスをＺ５とし、吸収抵抗Ｒ１００の抵抗値をＲ１００とし、分配数をＮ（＝２）とし、Ｚ０を５０Ωとすると、以下の関係式が成り立つ。【０００６】
Ｚ１＝Ｚ４＝Ｚ５＝Ｚ０＝５０Ω
Ｚ２＝Ｚ３＝Ｚ０√Ｎ＝７０．７Ω
Ｒ１００＝Ｚ０・Ｎ＝１００Ω【０００７】
以上説明したアレーアンテナ及び４分配器において、４つの放射素子に同位相で供給する各信号の電力レベルがアレーアンテナの放射特性に影響を与える。図１８は、図１６に示した４つの放射素子のそれぞれに同レベルの電力を供給した場合のアレーアンテナの放射特性を示す図である。一方、図１９は、４つの放射素子の内の両端の放射素子に供給する電力レベルと中央の２つの放射素子に供給する電力レベルとの比を１：４とした場合のアレーアンテナの放射特性を示す図である。メインローブレベルに対するサイドローブレベルを図１８と図１９とで比較すると、図１９に示した放射特性の方がサイドローブレベルが低い。このように、低いサイドローブレベルの放射特性を有するアレーアンテナを実現するためには、同位相かつ不均等な電力分配比で各放射素子に給電する分配器が必要となる。【０００８】
非特許文献２は、同位相かつ任意の電力分配比で入力信号を２分配する２分配器を開示する。また、特許文献１は、任意の電力分配比で入力信号を２分配する２分配回路を多段に組み合わせた分配器を開示する。特許文献１に開示された分配器では、２分配回路を構成する整合線路の特性インピーダンスの比により出力端子における電力分配比を所望の値に設定している。また、ｎ−１段目の分岐点での反射位相に応じて、ｎ段目の２分配回路の出力端子の電気長差Δφを調整することにより、出力端子間の中心周波数における位相誤差を小さくすることにより、アレーアンテナのサイドローブレベルを低減させている。【０００９】
【特許文献１】特開平５−２５１９１０号公報
【非特許文献１】ERNEST J. WILKINSON著, 「An N-Way Hybrid Power Divider」, Vol. MTT-8, IRE TRANSACTIONS ON MAICROWAVE THEORY AND TECHNIQUES, 1960年1月, p116-118
【非特許文献２】L. I. PARAD及びR. L. MOYNIHAN共著, 「Split-Tee Power Divider」, Vol. MTT-13, IEEE TRANSACTIONS ON MAICROWAVE THEORY AND TECHNIQUES, 1965年1月, p91-95
【発明の開示】
【発明が解決しようとする課題】
【００１０】
しかし、非特許文献２に記載された分配器は、入力信号を２つに分配することはできるが、３つに分配することはできない。同様に、特許文献１に記載された分配回路は、入力信号を２つや４つに分配することはできるが、３つや５つに分配することはできない。このため、上記分配器や分配回路は、奇数の放射素子を有するアレーアンテナに対応できない。このため、奇数の放射素子を有するアレーアンテナに対応でき、かつ当該アレーアンテナの放射特性が低サイドローブレベルを示すよう、同位相かつ不均等な電力分配比で各放射素子に給電することのできる分配器が望まれている。【００１１】
本発明の目的は、入力信号を同相の信号に３分配し、かつ電力分配比が中央と両端で異なる不均等３分配器を提供することである。
【課題を解決するための手段】
【００１２】
本発明は、入力信号を中央と両端で電力比が異なる同相の信号に３分配する不均等３分配器であって、前記入力信号が入力される入力端子と、前記３分配された信号をそれぞれ出力する３つの出力端子と、前記入力端子と前記３つの出力端子の間に設けられた、前記入力端子から分岐して前記３つの出力端子のそれぞれに接続された３つの伝送線路と、を備え、前記３つの伝送線路の内、中央の出力端子に接続された伝送線路は、直列に接続された第１の伝送線路及び電気長が１／４波長の第２の伝送線路を有し、前記３つの伝送線路の内、両端の出力端子に接続された２つの伝送線路のそれぞれは、直列に接続された第３の伝送線路及び電気長が１／４波長の第４の伝送線路を有し、前記第１の伝送線路と前記第２の伝送線路の接続点と、前記第３の伝送線路と前記第４の伝送線路の接続点の間には吸収抵抗が設けられ、前記第２の伝送線路又は前記第３の伝送線路の電気長が１／４波長である不均等３分配器を提供する。【００１３】
上記不均等３分配器では、前記中央の出力端子に接続された伝送線路は、前記第２の伝送線路に直列に接続された第５の伝送線路を有し、前記両端の出力端子に接続された２つの伝送線路のそれぞれは、前記第４の伝送線路に直列に接続された第６の伝送線路を有し、前記第１の伝送線路と前記第３の伝送線路の電気長の差ΔＬ１と、前記第５の伝送線路と前記第６の伝送線路の電気長の差ΔＬ２の関係は、ΔＬ２＝−ΔＬ１／４である。【００１４】
上記不均等３分配器では、前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数１】
2008038576.tif 000003
の関係を有する。【００１５】
上記不均等３分配器は、前記入力端子と前記３つの伝送線路との間に設けられた、電気長が１／４波長の第７の伝送線路を備え、前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記第７の伝送線路の特性インピーダンスをＺ２１とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数２】
2008038576.tif 000004
の関係を有する。【００１６】
本発明は、上記不均等３分配器と、前記不均等３分配器が備える３つの出力端子のそれぞれに接続された３つのアンテナ素子を有するアレーアンテナと、
を備えるアンテナ装置を提供する。
【発明の効果】
【００１７】
本発明に係る不均等３分配器によれば、入力信号を同相の信号に３分配することができる。また、電力分配比が中央と両端で異なるため、３つのアンテナ素子を有するアレーアンテナを接続した際に、低サイドローブレベルの放射特性を実現することができる。
【図面の簡単な説明】
【００１８】
【図１】第１の実施形態の不均等３分配器を示すブロック図
【図２】周波数帯域に対する出力信号の振幅特性を示す図
【図３】周波数帯域に対する出力ポート間の位相差を示す図
【図４】プリント基板上に構成された第１の実施形態の不均等３分配器のパターンを示す図
【図５】周波数帯域に対する出力信号の振幅特性を示す図
【図６】周波数帯域に対する出力ポート間の位相差を示す図
【図７】電力分配比が１：４：１に設定された本実施形態の不均等３分配器に接続されたアレーアンテナの放射特性を示す図
【図８】電力分配比が１：１：１に設定された本実施形態の不均等３分配器に接続されたアレーアンテナの放射特性を示す図
【図９】第２の実施形態の不均等３分配器を示すブロック図
【図１０】周波数帯域に対する出力信号の振幅特性を示す図
【図１１】周波数帯域に対する出力ポート間の位相差を示す図
【図１２】プリント基板上に構成された第２の実施形態の不均等３分配器のパターンを示す図
【図１３】周波数帯域に対する出力信号の振幅特性を示す図
【図１４】周波数帯域に対する出力ポート間の位相差を示す図
【図１５】本発明に係る不均等３分配器と不均等２分配器とを備える５分配器を示す図
【図１６】４つの放射素子を有するアレーアンテナ及び４分配器を示す図
【図１７】図１６に示した４分配器が備えるウィルキンソン型２分配器の構成を示す図
【図１８】図１６に示した４つの放射素子のそれぞれに同レベルの電力を供給した場合のアレーアンテナの放射特性を示す図
【図１９】４つの放射素子の内の両端の放射素子に供給する電力レベルと中央の２つの放射素子に供給する電力レベルとの比を１：４とした場合のアレーアンテナの放射特性を示す図
【符号の説明】
【００１９】
１１  入力端子
１２〜１４  出力端子
Ｍ１０，Ｍ１２，Ｍ１３ａ，Ｍ１３ｂ，Ｍ１４，Ｍ１５ａ，Ｍ１５ｂ，Ｍ１６，Ｍ１７ａ，Ｍ１７ｂ，Ｍ２１  伝送線路
Ｒ１０ａ，Ｒ１０ｂ  吸収抵抗
【発明を実施するための最良の形態】
【００２０】
以下、本発明の実施形態について、図面を参照して説明する。【００２１】
（第１の実施形態）
図１は、第１の実施形態の不均等３分配器を示すブロック図である。図１に示すように、第１の実施形態の不均等３分配器は、入力端子１１と、マイクロストリップラインである伝送線路Ｍ１０，Ｍ１２，Ｍ１３ａ，Ｍ１３ｂ，Ｍ１４，Ｍ１５ａ，Ｍ１５ｂ，Ｍ１６，Ｍ１７ａ，Ｍ１７ｂと、吸収抵抗Ｒ１０ａ，Ｒ１０ｂと、３つの出力端子１２〜１４とを備える。各出力端子には、アレーアンテナ（図示せず）を構成する放射素子等が接続される。図１に示すように、入力端子１１から３つの出力端子１２〜１４までの経路は、伝送線路Ｍ１０の後段で３本に分岐する構造である。【００２２】
分岐した３本の経路の内、中央の経路は、伝送線路Ｍ１２，Ｍ１４，Ｍ１６によって構成され、両端の経路の１つは伝送線路Ｍ１３ａ，Ｍ１５ａ，Ｍ１７ａによって構成され、もう１つは伝送線路Ｍ１３ｂ，Ｍ１５ｂ，Ｍ１７ｂによって構成されている。伝送線路Ｍ１２，Ｍ１４，Ｍ１５ａ，Ｍ１５ｂの各電気長は１／４波長である。なお、本実施形態では、入力端子１１に周波数が例えば５ＧＨｚの高周波信号が入力される。吸収抵抗Ｒ１０ａ，は、伝送線路Ｍ１２と伝送線路Ｍ１４の接点と、伝送線路Ｍ１３ａと伝送線路Ｍ１５ａの接点とを結ぶように接続されている。また、吸収抵抗Ｒ１０ｂ，は、伝送線路Ｍ１２と伝送線路Ｍ１４の接点と、伝送線路Ｍ１３ｂと伝送線路Ｍ１５ｂの接点とを結ぶように接続されている。【００２３】
伝送線路Ｍ１０，Ｍ１６，Ｍ１７ａ，Ｍ１７ｂの各特性インピーダンスをＺ１０、伝送線路Ｍ１２の特性インピーダンスをＺ１２、伝送線路Ｍ１３ａ，Ｍ１３ｂの特性インピーダンスをＺ１３、伝送線路Ｍ１４の特性インピーダンスをＺ１４、伝送線路Ｍ１５ａ，Ｍ１５ｂの特性インピーダンスをＺ１５とし、吸収抵抗Ｒ１０ａ，Ｒ１０ｂの各抵抗値をＲ１０とする。３本の経路の内、両端の経路のそれぞれに供給する電力を１としたとき、中央の経路にｋ２（ｋは１以上の実数）の電力を供給する、すなわち１：ｋ２：１の電力分配比を実現するためには、各伝送線路の特性インピーダンス及び吸収抵抗が以下に示す関係を有する。なお、以下の数式の導出には非特許文献２の９１，９２ページの記載が参考にされる。この文献では２分配の例が説明されているが、Fig. 2に示されている分配器を電力分配比が１：ｋ２：１の３分配の構成に変更して、式（１）〜（３）やFig. 2中の式と同様に導出すれば良い。【００２４】
【数３】
2008038576.tif 000005
【００２５】
Ｚ１０＝５０．００Ωとしたとき、電力分配比が１：４：１（ｋ２＝４）の不均等３分配器とするためには、
Ｚ１２＝  ４３．３０Ω
Ｚ１３＝１７３．２１Ω
Ｚ１４＝  ３５．３６Ω
Ｚ１５＝  ７０．７１Ω
Ｒ１０＝１１２．５０Ω
である必要がある。【００２６】
図２及び図３は、上記説明した本実施形態の不均等３分配器において、５ＧＨｚの周波数の信号を入力端子１１から入力した場合の出力をシミュレートした結果を示す図である。なお、このシミュレーションでは、不均等３分配器が備える伝送線路Ｍ１３ａ，Ｍ１３ｂの各電気長も１／４波長とした。【００２７】
図２は、周波数帯域に対する出力信号の振幅特性を示す図である。図２中の符号Ｓ３１は、中央の経路を介して出力端子から出力された信号を示す。図２中の符号Ｓ２１，Ｓ４１は、両端の経路の一方を介して出力端子から出力された信号を示す。図２中の符号Ｓ１１は、入力端子１１から出力された反射信号を示す。図２に示すように、５ＧＨｚでの信号Ｓ３１の振幅は−１．７６ｄＢ、信号Ｓ２１，Ｓ４１の振幅は−７．７８ｄＢであり、信号Ｓ３１と信号Ｓ２１，Ｓ４１とでは約６ｄＢの振幅差がある。このため、電力分配比が１：４：１であることが分かる。【００２８】
図３は、周波数帯域に対する出力ポート間の位相差を示す図である。図３中の符号Ｓ２１−Ｓ３１は、中央の経路を介して出力された信号に対する、両端の経路の一方を介して出力端子から出力された信号の位相差を示す。図３中の符号Ｓ２１−Ｓ４１は、両端の経路を介して出力端子から出力された２つの信号の位相差を示す。図３に示すように、３〜７ＧＨｚの周波数帯域で位相差Ｓ２１−Ｓ３１が１０°以内である。このため、本実施形態の不均等３分配器を広帯域にわたって使用することができる。【００２９】
以下、本実施形態の不均等３分配器をプリント基板上に構成した例について説明する。図４は、プリント基板上に構成された第１の実施形態の不均等３分配器のパターンを示す図である。図４に示すように、３つの出力端子１２〜１４は同一直線上（Ｐ−Ｐ′）に配置されている。伝送線路Ｍ１２の電気長及び伝送線路Ｍ１３ａ，Ｍ１３ｂの各電気長はそれぞれ１／４波長であることが望ましい。しかし、図４に示すように、吸収抵抗Ｒ１０ａ，Ｒ１０ｂがチップ抵抗だとしてもその大きさを無視することはできないため、伝送線路Ｍ１２の線路長と伝送線路Ｍ１３ａ，Ｍ１３ｂの各線路長を同じ長さにすることは設計上できない。したがって、本実施形態では、伝送線路Ｍ１２と伝送線路Ｍ１３ａ，Ｍ１３ｂの線路長の差によって生じる位相差をキャンセルするために、伝送線路Ｍ１６の線路長と伝送線路Ｍ１７ａ，Ｍ１７ｂの各線路長との間に差が設けられる。【００３０】
伝送線路Ｍ１２の電気長をＬ１２とし、伝送線路Ｍ１３ａ，Ｍ１３ｂの各電気長をＬ１３とし、Ｌ１２−Ｌ１３＝ΔＬ１とする。また、伝送線路Ｍ１６の電気長をＬ１６とし、伝送線路Ｍ１７ａ，Ｍ１７ｂの各電気長をＬ１７とし、Ｌ１６−Ｌ１７＝ΔＬ２とする。このとき、ΔＬ２＝−ΔＬ１／４の関係が成立するよう、各伝送線路が設計される。このように、伝送線路Ｍ１６と伝送線路Ｍ１７ａ，Ｍ１７ｂの線路長の差によって、３つの出力端子から出力される信号の位相差が低減される。【００３１】
例えば、伝送線路Ｍ１２，Ｍ１４及びＭ１５の電気長が５ＧＨｚでλ／４（＝９０°）、伝送線路Ｍ１３の電気長が１００°であるとき、伝送線路Ｍ１２  の電気長Ｌ２と伝送線路Ｍ１３の電気長Ｌ３の差ΔＬ１（＝Ｌ１２−Ｌ１３）は−１０°である。この部分で生じる位相差をキャンセルするため、伝送線路Ｍ１６の電気長Ｌ１６と伝送線路Ｍ１７の電気長Ｌ１７の差ΔＬ２を以下のようにする。
ΔＬ２＝Ｌ１６−Ｌ１７＝−ΔＬ１／４＝２．５°
このため、本実施形態では、伝送線路Ｍ１６の電気長Ｌ１６を９０°、伝送線路Ｍ１７の電気長Ｌ１７を８７．５°とした。【００３２】
プリント基板の誘電率εr＝２．６、誘電正接ｔａｎ δ＝０．００１５、プリント基板の厚さｔ＝０．８ｍｍとした場合、各伝送線路の線幅は以下のようになる。
Ｍ１０＝２．２ｍｍ
Ｍ１２＝２．７ｍｍ
Ｍ１３ａ，Ｍ１３ｂ＝０．３ｍｍ
Ｍ１４＝３．６ｍｍ
Ｍ１５ａ，Ｍ１５ｂ＝１．２ｍｍ
Ｍ１６＝２．２ｍｍ
Ｍ１７ａ，Ｍ１７ｂ＝２．２ｍｍ【００３３】
また、伝送線路Ｍ１２と伝送線路Ｍ１３ａ，Ｍ１３ｂとの成す角度αを４５°とし、吸収抵抗Ｒ１０ａ，Ｒ１０ｂとして３２１６サイズのチップ抵抗を用いた場合、伝送線路Ｍ１２の線路長と伝送線路Ｍ１３ａ，Ｍ１３ｂの線路長との差ΔＬ１（＝Ｌ１２−Ｌ１３）は−１．３ｍｍである。この１．３ｍｍの差は５ＧＨｚで約１１°の位相差を生じる。上述したように、この位相差を低減するために、伝送線路Ｍ１６の線路長と伝送線路Ｍ１７ａ，Ｍ１７ｂの各線路長との間に差ΔＬ２（＝Ｌ１６−Ｌ１７）が設けられる。ΔＬ２＝−Ｌ１／４であるため、ΔＬ２＝１．３ｍｍ／４＝０．３２５ｍｍである。【００３４】
図５及び図６は、上記説明したプリント基板上に構成された不均等３分配器において、５ＧＨｚの周波数の信号を入力端子１１から入力した場合の出力をシミュレートした結果を示す図である。図５は、周波数帯域に対する出力信号の振幅特性を示す図である。図５中の符号Ｓ３１は、中央の経路を介して出力端子から出力された信号を示す。図５中の符号Ｓ２１，Ｓ４１は、両端の経路の一方を介して出力端子から出力された信号を示す。図５中の符号Ｓ１１は、入力端子１１から出力された反射信号を示す。図５に示すように、５ＧＨｚでの信号Ｓ３１の振幅は−１．６８ｄＢ、信号Ｓ２１，Ｓ４１の振幅は−８．７０ｄＢであり、信号Ｓ３１と信号Ｓ２１，Ｓ４１とでは約７ｄＢの振幅差がある。このため、電力分配比がほぼ１：４：１であることが分かる。【００３５】
図６は、周波数帯域に対する出力ポート間の位相差を示す図である。図６中の符号Ｓ２１−Ｓ３１は、中央の経路を介して出力された信号に対する、両端の経路の一方を介して出力端子から出力された信号の位相差を示す。図６中の符号Ｓ２１−Ｓ４１は、両端の経路を介して出力端子から出力された２つの信号の位相差を示す。伝送線路Ｍ１６の折り返し部が影響して信号Ｓ２１と信号Ｓ４１とで特性に若干の違いはあるものの、図５に示すように、４〜６ＧＨｚの周波数帯域で信号Ｓ２１と信号Ｓ４１との振幅差は０．５ｄＢ以内であるため、アレーアンテナの指向特性に大きく影響を与えることはない。また、図６に示すように、３〜６ＧＨｚの周波数帯域で、位相差Ｓ２１−Ｓ３１が１０°以内であり、位相差Ｓ２１−Ｓ４１が１°以内である。このため、プリント基板上に構成された本実施形態の不均等３分配器も広帯域にわたって使用することができる。【００３６】
以上説明したように、本実施形態の不均等３分配器によれば、入力端子１１からの入力信号を同相の信号に３分配して出力し、かつ中央と両端とで１：ｋ２：１（ｋは１以上の実数）のように異なる電力分配比の分配器を提供することができる。このように、中央の出力端子から出力される信号の電力を両端の出力端子から出力される信号の電力よりも大きくすることができるため、３つの放射素子を有するアレーアンテナを接続した際に、低サイドローブレベルの放射特性を実現することができる。【００３７】
例えば、図７は、電力分配比が１：４：１に設定された本実施形態の不均等３分配器に接続されたアレーアンテナの放射特性を示す図である。一方、図８は、電力分配比が１：１：１に設定された本実施形態の不均等３分配器に接続されたアレーアンテナの放射特性を示す図である。図８に示されるサイドローブレベルは約−１２ｄＢであるのに対し、図７に示されるサイドローブレベルは約−２６ｄＢである。このように、各素子に対して任意の比で電力を給電することにより、サイドローブレベルを大きく低減できる。【００３８】
（第２の実施形態）
図９は、第２の実施形態の不均等３分配器を示すブロック図である。第２の実施形態の不均等３分配器が第１の実施形態の不均等３分配器と異なる点は、伝送線路Ｍ１０と伝送線路Ｍ１２，Ｍ１３ａ，Ｍ１３ｂへの分岐点との間に伝送線路Ｍ２１が追加されたことである。この点以外は第１の実施形態と同様であり、図９において、図１と共通する構成要素には同じ参照符号が付されている。【００３９】
伝送線路Ｍ２１はマイクロストリップラインであり、１／４波長の電気長を有する。伝送線路Ｍ２１の特性インピーダンスをＺ２１としたとき、１：ｋ２：１の電力分配比を実現するためには、各伝送線路の特性インピーダンス及び吸収抵抗が以下に示す関係を有する。【００４０】
【数４】
2008038576.tif 000006
【００４１】
Ｚ１０＝５０．００Ωとしたとき、電力分配比が１：４：１（ｋ２＝４）の不均等３分配器とするためには、
Ｚ２１＝  ３７．９９Ω
Ｚ１２＝  ３２．９０Ω
Ｚ１３＝１３１．６１Ω
Ｚ１４＝  ３５．３６Ω
Ｚ１５＝  ７０．７１Ω
Ｒ２０＝１１２．５Ω
である必要がある。【００４２】
図１０及び図１１は、上記説明した本実施形態の不均等３分配器において、５ＧＨｚの周波数の信号を入力端子１１から入力した場合の出力をシミュレートした結果を示す図である。なお、このシミュレーションでは、不均等３分配器が備える伝送線路Ｍ１３ａ，Ｍ１３ｂの各電気長も１／４波長とした。図１０は、周波数帯域に対する出力信号の振幅特性を示す図である。図１０に示す振幅特性が図２に示した第１の実施形態の振幅特性と異なる点は、符号Ｓ１１で示される反射信号のレベルが中心周波数（５ＧＨｚ）を中心に低いことである。また、符号Ｓ２１，Ｓ３１，Ｓ４１で示される信号の振幅変動が小さい。図１１は、周波数帯域に対する出力ポート間の位相差を示す図である。位相差について第１の実施形態と異なる点は特にない。【００４３】
以下、本実施形態の不均等３分配器をプリント基板上に構成した例について説明する。図１２は、プリント基板上に構成された第２の実施形態の不均等３分配器のパターンを示す図である。プリント基板の誘電率εr＝２．６、誘電正接ｔａｎ δ＝０．００１５、プリント基板の厚さｔ＝０．８ｍｍとした場合、各伝送線路の線幅は以下のようになる。
Ｍ１０＝２．２ｍｍ
Ｍ２１＝３．３ｍｍ
Ｍ１２＝４．０ｍｍ
Ｍ１３ａ，Ｍ１３ｂ＝０．３ｍｍ
Ｍ１４＝３．６ｍｍ
Ｍ１５ａ，Ｍ１５ｂ＝１．２ｍｍ
Ｍ１６＝２．２ｍｍ
Ｍ１７ａ，Ｍ１７ｂ＝２．２ｍｍ【００４４】
図１３及び図１４は、上記説明したプリント基板上に構成された不均等３分配器において、５ＧＨｚの周波数の信号を入力端子１１から入力した場合の出力をシミュレートした結果を示す図である。図１３は、周波数帯域に対する出力信号の振幅特性を示す図である。図１３に示す振幅特性が図５に示した第１の実施形態の振幅特性と異なる点は、符号Ｓ１１で示される反射信号のレベルが中心周波数（５ＧＨｚ）を中心に低いことである。また、符号Ｓ２１，Ｓ３１，Ｓ４１で示される信号の振幅変動が小さい。図１４は、周波数帯域に対する出力ポート間の位相差を示す図である。位相差について第１の実施形態と異なる点は特にない。【００４５】
以上説明したように、本実施形態の不均等３分配器によれば、入力端子側への反射信号を抑えることができる。また、出力端子から出力される信号の振幅変動を小さくすることができる。【００４６】
以上説明した第１の実施形態又は第２の実施形態の不均等３分配器と非特許文献２に示される不均等２分配器とを組み合わせることにより、５以上の奇数の出力端子を有する不均等分配器を提供することができる。図１５は、本発明に係る不均等３分配器と不均等２分配器とを備える５分配器を示す図である。図１５に示される５分配器は、３分配器３０と、２分配器３１，３２と、伝送線路３３〜３６とを備える。この５分配器で、３分配器３０の電力分配比を１：１．７８：１（＝９：１６：９）にし、２分配器３１，３２の電力分配比を１：８にすると、５分配器の電力分配比は１：８：１６：８：１となる。【００４７】
上記説明した第１の実施形態及び第２の実施形態の各不均等３分配器では、伝送線路Ｍ１２と伝送線路Ｍ１３ａ，Ｍ１３ｂの線路長の差によって生じる位相差をキャンセルするために、伝送線路Ｍ１６の線路長と伝送線路Ｍ１７ａ，Ｍ１７ｂの各線路長との間に差が設けられる。但し、アレーアンテナのサイドローブレベルの低減といった効果は多少犠牲にはなるが、伝送線路Ｍ１６の線路長と伝送線路Ｍ１７ａ，Ｍ１７ｂの各線路長との間に差を設けなくても良い。また、インピーダンスマッチングを行わなければ、伝送線路Ｍ１０，Ｍ１６，Ｍ１７ａ，Ｍ１７ｂを除いた構成であっても良い。【００４８】
また、上記説明した第１の実施形態及び第２の実施形態の各不均等３分配器では、伝送線路Ｍ１０に並列に接続された伝送線路Ｍ１２及び伝送線路Ｍ１３ａ，Ｍ１３ｂの内、伝送線路Ｍ１２の電気長が１／４波長であるが、伝送線路Ｍ１３ａ，Ｍ１３ｂの各電気長を１／４波長としても良い。【００４９】
本発明を詳細にまた特定の実施態様を参照して説明したが、本発明の精神と範囲を逸脱することなく様々な変更や修正を加えることができることは当業者にとって明らかである。【００５０】
本出願は、2006年9月25日出願の日本特許出願（特願2006−259285）に基づくものであり、その内容はここに参照として取り込まれる。
【産業上の利用可能性】
【００５１】
本発明に係る不均等３分配器は、入力信号を同相の３つの信号に分配してアンテナ素子等に給電する給電部等として有用である。
【図１】
2008038576.tif 000009
【図２】
2008038576.tif 000010
【図３】
2008038576.tif 000011
【図４】
2008038576.tif 000012
【図５】
2008038576.tif 000013
【図６】
2008038576.tif 000014
【図７】
2008038576.tif 000015
【図８】
2008038576.tif 000016
【図９】
2008038576.tif 000017
【図１０】
2008038576.tif 000018
【図１１】
2008038576.tif 000019
【図１２】
2008038576.tif 000020
【図１３】
2008038576.tif 000021
【図１４】
2008038576.tif 000022
【図１５】
2008038576.tif 000023
【図１６】
2008038576.tif 000024
【図１７】
2008038576.tif 000025
【図１８】
2008038576.tif 000026
【図１９】
2008038576.tif 000027
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
入力信号を中央と両端で電力比が異なる同相の信号に３分配する不均等３分配器であって、
前記入力信号が入力される入力端子と、
前記３分配された信号をそれぞれ出力する３つの出力端子と、
前記入力端子と前記３つの出力端子の間に設けられた、前記入力端子から分岐して前記３つの出力端子のそれぞれに接続された３つの伝送線路と、を備え、
前記３つの伝送線路の内、中央の出力端子に接続された伝送線路は、直列に接続された第１の伝送線路及び電気長が１／４波長の第２の伝送線路を有し、
前記３つの伝送線路の内、両端の出力端子に接続された２つの伝送線路のそれぞれは、直列に接続された第３の伝送線路及び電気長が１／４波長の第４の伝送線路を有し、
前記第１の伝送線路と前記第２の伝送線路の接続点と、前記第３の伝送線路と前記第４の伝送線路の接続点の間には吸収抵抗が設けられ、
前記第１の伝送線路又は前記第３の伝送線路の電気長が１／４波長であり、
前記中央の出力端子に接続された伝送線路は、前記第２の伝送線路に直列に接続された第５の伝送線路を有し、
前記両端の出力端子に接続された２つの伝送線路のそれぞれは、前記第４の伝送線路に直列に接続された第６の伝送線路を有し、
前記第１の伝送線路と前記第３の伝送線路の電気長の差ΔＬ１と、前記第５の伝送線路と前記第６の伝送線路の電気長の差ΔＬ２の関係は、ΔＬ２＝−ΔＬ１／４であり、
前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数１】
2008038576.tif 000028
の関係を有することを特徴とする不均等３分配器。
【請求項４】
請求項３に記載の不均等３分配器であって、
前記入力端子と前記３つの伝送線路との間に設けられた、電気長が１／４波長の第７の伝送線路を備え、
前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記第７の伝送線路の特性インピーダンスをＺ２１とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数２】
2008038576.tif 000029
の関係を有することを特徴とする不均等３分配器。
【請求項５】
請求項３又は４に記載の不均等３分配器と、
前記不均等３分配器が備える３つの出力端子のそれぞれに接続された３つのアンテナ素子を有するアレーアンテナと、
を備えることを特徴とするアンテナ装置。
【手続補正書】
【提出日】平成20年6月11日(2008.6.11)
【手続補正１】
【補正対象書類名】明細書
【補正対象項目名】全文
【補正方法】変更
【補正の内容】
【発明の詳細な説明】
【技術分野】
【０００１】
本発明は、入力信号を３つ信号に分配して出力する不均等３分配器に関する。
【背景技術】
【０００２】
複数の放射素子を有するアレーアンテナの前段には、高周波信号を複数に分配して各放射素子に給電する分配器が設けられる。図１６は、４つの放射素子を有するアレーアンテナ及び４分配器を示す図である。図１６に示す４分配器は、１つの入力端子１と、４つの出力端子２〜５と、３つのウィルキンソン型２分配器（非特許文献１参照）１１１，１１２，１１３と、伝送線路１１５〜１２０とを備える。各出力端子に１つの放射素子１１０が接続されている。入力端子１から４つの出力端子２〜５までの経路は、ウィルキンソン型２分配器１１１，１１２，１１３及び伝送線路１１５〜１２０によって形成された木構造となっている。
【０００３】
図１７は、図１６に示した４分配器が備えるウィルキンソン型２分配器の構成を示す図である。図１７に示すように、ウィルキンソン型２分配器は、１つの入力端子６と、２つの出力端子７，８と、伝送線路Ｍ１０１〜Ｍ１０５と、吸収抵抗Ｒ１００とを備える。図１７に示すように、入力端子６から２つの出力端子７，８までの経路は、伝送線路Ｍ１０１の後段で２本に分岐する構造である。
【０００４】
分岐した２本の経路の１つは伝送線路Ｍ１０２，Ｍ１０４によって構成され、もう１つは伝送線路Ｍ１０３，Ｍ１０５によって構成されている。伝送線路Ｍ１０２，Ｍ１０３の各電気長は１／４波長である。伝送線路Ｍ１０２，Ｍ１０３の各電気長を１／４波長とすることによって、出力端子７，８から入力端子６への反射波を低減できると共に、出力端子間のアイソレーションを高めることができる。吸収抵抗Ｒ１００は、分岐点から出力端子側へ１／４波長の位置で、２本の経路を結ぶように接続されている。吸収抵抗Ｒ１００を設けることによって、出力端子間のアイソレーションを高めると共に、出力インピーダンスを整合することができる。
【０００５】
伝送線路Ｍ１０１の特性インピーダンスをＺ１、伝送線路Ｍ１０２の特性インピーダンスをＺ２、伝送線路Ｍ１０３の特性インピーダンスをＺ３、伝送線路Ｍ１０４の特性インピーダンスをＺ４、伝送線路Ｍ１０５の特性インピーダンスをＺ５とし、吸収抵抗Ｒ１００の抵抗値をＲ１００とし、分配数をＮ（＝２）とし、Ｚ０を５０Ωとすると、以下の関係式が成り立つ。
【０００６】
Ｚ１＝Ｚ４＝Ｚ５＝Ｚ０＝５０Ω
Ｚ２＝Ｚ３＝Ｚ０√Ｎ＝７０．７Ω
Ｒ１００＝Ｚ０・Ｎ＝１００Ω
【０００７】
以上説明したアレーアンテナ及び４分配器において、４つの放射素子に同位相で供給する各信号の電力レベルがアレーアンテナの放射特性に影響を与える。図１８は、図１６に示した４つの放射素子のそれぞれに同レベルの電力を供給した場合のアレーアンテナの放射特性を示す図である。一方、図１９は、４つの放射素子の内の両端の放射素子に供給する電力レベルと中央の２つの放射素子に供給する電力レベルとの比を１：４とした場合のアレーアンテナの放射特性を示す図である。メインローブレベルに対するサイドローブレベルを図１８と図１９とで比較すると、図１９に示した放射特性の方がサイドローブレベルが低い。このように、低いサイドローブレベルの放射特性を有するアレーアンテナを実現するためには、同位相かつ不均等な電力分配比で各放射素子に給電する分配器が必要となる。
【０００８】
非特許文献２は、同位相かつ任意の電力分配比で入力信号を２分配する２分配器を開示する。また、特許文献１は、任意の電力分配比で入力信号を２分配する２分配回路を多段に組み合わせた分配器を開示する。特許文献１に開示された分配器では、２分配回路を構成する整合線路の特性インピーダンスの比により出力端子における電力分配比を所望の値に設定している。また、ｎ−１段目の分岐点での反射位相に応じて、ｎ段目の２分配回路の出力端子の電気長差Δφを調整することにより、出力端子間の中心周波数における位相誤差を小さくすることにより、アレーアンテナのサイドローブレベルを低減させている。
【０００９】
【特許文献１】特開平５−２５１９１０号公報
【非特許文献１】ERNEST J. WILKINSON著, 「An N-Way Hybrid Power Divider」, Vol. MTT-8, IRE TRANSACTIONS ON MAICROWAVE THEORY AND TECHNIQUES, 1960年1月, p116-118
【非特許文献２】L. I. PARAD及びR. L. MOYNIHAN共著, 「Split-Tee Power Divider」, Vol. MTT-13, IEEE TRANSACTIONS ON MAICROWAVE THEORY AND TECHNIQUES, 1965年1月, p91-95
【発明の開示】
【発明が解決しようとする課題】
【００１０】
しかし、非特許文献２に記載された分配器は、入力信号を２つに分配することはできるが、３つに分配することはできない。同様に、特許文献１に記載された分配回路は、入力信号を２つや４つに分配することはできるが、３つや５つに分配することはできない。このため、上記分配器や分配回路は、奇数の放射素子を有するアレーアンテナに対応できない。このため、奇数の放射素子を有するアレーアンテナに対応でき、かつ当該アレーアンテナの放射特性が低サイドローブレベルを示すよう、同位相かつ不均等な電力分配比で各放射素子に給電することのできる分配器が望まれている。
【００１１】
本発明の目的は、入力信号を同相の信号に３分配し、かつ電力分配比が中央と両端で異なる不均等３分配器を提供することである。
【課題を解決するための手段】
【００１２】
本発明は、入力信号を中央と両端で電力比が異なる同相の信号に３分配する不均等３分配器であって、前記入力信号が入力される入力端子と、前記３分配された信号をそれぞれ出力する３つの出力端子と、前記入力端子と前記３つの出力端子の間に設けられた、前記入力端子から分岐して前記３つの出力端子のそれぞれに接続された３つの伝送線路と、を備え、前記３つの伝送線路の内、中央の出力端子に接続された伝送線路は、直列に接続された第１の伝送線路及び電気長が１／４波長の第２の伝送線路を有し、前記３つの伝送線路の内、両端の出力端子に接続された２つの伝送線路のそれぞれは、直列に接続された第３の伝送線路及び電気長が１／４波長の第４の伝送線路を有し、前記第１の伝送線路と前記第２の伝送線路の接続点と、前記第３の伝送線路と前記第４の伝送線路の接続点の間には吸収抵抗が設けられ、前記第２の伝送線路又は前記第３の伝送線路の電気長が１／４波長である不均等３分配器を提供する。
【００１３】
上記不均等３分配器では、前記中央の出力端子に接続された伝送線路は、前記第２の伝送線路に直列に接続された第５の伝送線路を有し、前記両端の出力端子に接続された２つの伝送線路のそれぞれは、前記第４の伝送線路に直列に接続された第６の伝送線路を有し、前記第１の伝送線路と前記第３の伝送線路の電気長の差ΔＬ１と、前記第５の伝送線路と前記第６の伝送線路の電気長の差ΔＬ２の関係は、ΔＬ２＝−ΔＬ１／４である。
【００１４】
上記不均等３分配器では、前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数１】
2008038576.tif 000030
の関係を有する。
【００１５】
上記不均等３分配器は、前記入力端子と前記３つの伝送線路との間に設けられた、電気長が１／４波長の第７の伝送線路を備え、前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記第７の伝送線路の特性インピーダンスをＺ２１とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数２】
2008038576.tif 000031
の関係を有する。
【００１６】
本発明は、上記不均等３分配器と、前記不均等３分配器が備える３つの出力端子のそれぞれに接続された３つのアンテナ素子を有するアレーアンテナと、
を備えるアンテナ装置を提供する。
【発明の効果】
【００１７】
本発明に係る不均等３分配器によれば、入力信号を同相の信号に３分配することができる。また、電力分配比が中央と両端で異なるため、３つのアンテナ素子を有するアレーアンテナを接続した際に、低サイドローブレベルの放射特性を実現することができる。
【発明を実施するための最良の形態】
【００１８】
以下、本発明の実施形態について、図面を参照して説明する。
【００１９】
（第１の実施形態）
図１は、第１の実施形態の不均等３分配器を示すブロック図である。図１に示すように、第１の実施形態の不均等３分配器は、入力端子１１と、マイクロストリップラインである伝送線路Ｍ１０，Ｍ１２，Ｍ１３ａ，Ｍ１３ｂ，Ｍ１４，Ｍ１５ａ，Ｍ１５ｂ，Ｍ１６，Ｍ１７ａ，Ｍ１７ｂと、吸収抵抗Ｒ１０ａ，Ｒ１０ｂと、３つの出力端子１２〜１４とを備える。各出力端子には、アレーアンテナ（図示せず）を構成する放射素子等が接続される。図１に示すように、入力端子１１から３つの出力端子１２〜１４までの経路は、伝送線路Ｍ１０の後段で３本に分岐する構造である。
【００２０】
分岐した３本の経路の内、中央の経路は、伝送線路Ｍ１２，Ｍ１４，Ｍ１６によって構成され、両端の経路の１つは伝送線路Ｍ１３ａ，Ｍ１５ａ，Ｍ１７ａによって構成され、もう１つは伝送線路Ｍ１３ｂ，Ｍ１５ｂ，Ｍ１７ｂによって構成されている。伝送線路Ｍ１２，Ｍ１４，Ｍ１５ａ，Ｍ１５ｂの各電気長は１／４波長である。なお、本実施形態では、入力端子１１に周波数が例えば５ＧＨｚの高周波信号が入力される。吸収抵抗Ｒ１０ａ，は、伝送線路Ｍ１２と伝送線路Ｍ１４の接点と、伝送線路Ｍ１３ａと伝送線路Ｍ１５ａの接点とを結ぶように接続されている。また、吸収抵抗Ｒ１０ｂ，は、伝送線路Ｍ１２と伝送線路Ｍ１４の接点と、伝送線路Ｍ１３ｂと伝送線路Ｍ１５ｂの接点とを結ぶように接続されている。
【００２１】
伝送線路Ｍ１０，Ｍ１６，Ｍ１７ａ，Ｍ１７ｂの各特性インピーダンスをＺ１０、伝送線路Ｍ１２の特性インピーダンスをＺ１２、伝送線路Ｍ１３ａ，Ｍ１３ｂの特性インピーダンスをＺ１３、伝送線路Ｍ１４の特性インピーダンスをＺ１４、伝送線路Ｍ１５ａ，Ｍ１５ｂの特性インピーダンスをＺ１５とし、吸収抵抗Ｒ１０ａ，Ｒ１０ｂの各抵抗値をＲ１０とする。３本の経路の内、両端の経路のそれぞれに供給する電力を１としたとき、中央の経路にｋ２（ｋは１以上の実数）の電力を供給する、すなわち１：ｋ２：１の電力分配比を実現するためには、各伝送線路の特性インピーダンス及び吸収抵抗が以下に示す関係を有する。なお、以下の数式の導出には非特許文献２の９１，９２ページの記載が参考にされる。この文献では２分配の例が説明されているが、Fig. 2に示されている分配器を電力分配比が１：ｋ２：１の３分配の構成に変更して、式（１）〜（３）やFig. 2中の式と同様に導出すれば良い。
【００２２】
【数３】
2008038576.tif 000032
【００２３】
Ｚ１０＝５０．００Ωとしたとき、電力分配比が１：４：１（ｋ２＝４）の不均等３分配器とするためには、
Ｚ１２＝  ４３．３０Ω
Ｚ１３＝１７３．２１Ω
Ｚ１４＝  ３５．３６Ω
Ｚ１５＝  ７０．７１Ω
Ｒ１０＝１１２．５０Ω
である必要がある。
【００２４】
図２及び図３は、上記説明した本実施形態の不均等３分配器において、５ＧＨｚの周波数の信号を入力端子１１から入力した場合の出力をシミュレートした結果を示す図である。なお、このシミュレーションでは、不均等３分配器が備える伝送線路Ｍ１３ａ，Ｍ１３ｂの各電気長も１／４波長とした。
【００２５】
図２は、周波数帯域に対する出力信号の振幅特性を示す図である。図２中の符号Ｓ３１は、中央の経路を介して出力端子から出力された信号を示す。図２中の符号Ｓ２１，Ｓ４１は、両端の経路の一方を介して出力端子から出力された信号を示す。図２中の符号Ｓ１１は、入力端子１１から出力された反射信号を示す。図２に示すように、５ＧＨｚでの信号Ｓ３１の振幅は−１．７６ｄＢ、信号Ｓ２１，Ｓ４１の振幅は−７．７８ｄＢであり、信号Ｓ３１と信号Ｓ２１，Ｓ４１とでは約６ｄＢの振幅差がある。このため、電力分配比が１：４：１であることが分かる。
【００２６】
図３は、周波数帯域に対する出力ポート間の位相差を示す図である。図３中の符号Ｓ２１−Ｓ３１は、中央の経路を介して出力された信号に対する、両端の経路の一方を介して出力端子から出力された信号の位相差を示す。図３中の符号Ｓ２１−Ｓ４１は、両端の経路を介して出力端子から出力された２つの信号の位相差を示す。図３に示すように、３〜７ＧＨｚの周波数帯域で位相差Ｓ２１−Ｓ３１が１０°以内である。このため、本実施形態の不均等３分配器を広帯域にわたって使用することができる。
【００２７】
以下、本実施形態の不均等３分配器をプリント基板上に構成した例について説明する。図４は、プリント基板上に構成された第１の実施形態の不均等３分配器のパターンを示す図である。図４に示すように、３つの出力端子１２〜１４は同一直線上（Ｐ−Ｐ′）に配置されている。伝送線路Ｍ１２の電気長及び伝送線路Ｍ１３ａ，Ｍ１３ｂの各電気長はそれぞれ１／４波長であることが望ましい。しかし、図４に示すように、吸収抵抗Ｒ１０ａ，Ｒ１０ｂがチップ抵抗だとしてもその大きさを無視することはできないため、伝送線路Ｍ１２の線路長と伝送線路Ｍ１３ａ，Ｍ１３ｂの各線路長を同じ長さにすることは設計上できない。したがって、本実施形態では、伝送線路Ｍ１２と伝送線路Ｍ１３ａ，Ｍ１３ｂの線路長の差によって生じる位相差をキャンセルするために、伝送線路Ｍ１６の線路長と伝送線路Ｍ１７ａ，Ｍ１７ｂの各線路長との間に差が設けられる。
【００２８】
伝送線路Ｍ１２の電気長をＬ１２とし、伝送線路Ｍ１３ａ，Ｍ１３ｂの各電気長をＬ１３とし、Ｌ１２−Ｌ１３＝ΔＬ１とする。また、伝送線路Ｍ１６の電気長をＬ１６とし、伝送線路Ｍ１７ａ，Ｍ１７ｂの各電気長をＬ１７とし、Ｌ１６−Ｌ１７＝ΔＬ２とする。このとき、ΔＬ２＝−ΔＬ１／４の関係が成立するよう、各伝送線路が設計される。このように、伝送線路Ｍ１６と伝送線路Ｍ１７ａ，Ｍ１７ｂの線路長の差によって、３つの出力端子から出力される信号の位相差が低減される。
【００２９】
例えば、伝送線路Ｍ１２，Ｍ１４及びＭ１５の電気長が５ＧＨｚでλ／４（＝９０°）、伝送線路Ｍ１３の電気長が１００°であるとき、伝送線路Ｍ１２  の電気長Ｌ２と伝送線路Ｍ１３の電気長Ｌ３の差ΔＬ１（＝Ｌ１２−Ｌ１３）は−１０°である。この部分で生じる位相差をキャンセルするため、伝送線路Ｍ１６の電気長Ｌ１６と伝送線路Ｍ１７の電気長Ｌ１７の差ΔＬ２を以下のようにする。
ΔＬ２＝Ｌ１６−Ｌ１７＝−ΔＬ１／４＝２．５°
このため、本実施形態では、伝送線路Ｍ１６の電気長Ｌ１６を９０°、伝送線路Ｍ１７の電気長Ｌ１７を８７．５°とした。
【００３０】
プリント基板の誘電率εr＝２．６、誘電正接ｔａｎ δ＝０．００１５、プリント基板の厚さｔ＝０．８ｍｍとした場合、各伝送線路の線幅は以下のようになる。
Ｍ１０＝２．２ｍｍ
Ｍ１２＝２．７ｍｍ
Ｍ１３ａ，Ｍ１３ｂ＝０．３ｍｍ
Ｍ１４＝３．６ｍｍ
Ｍ１５ａ，Ｍ１５ｂ＝１．２ｍｍ
Ｍ１６＝２．２ｍｍ
Ｍ１７ａ，Ｍ１７ｂ＝２．２ｍｍ
【００３１】
また、伝送線路Ｍ１２と伝送線路Ｍ１３ａ，Ｍ１３ｂとの成す角度αを４５°とし、吸収抵抗Ｒ１０ａ，Ｒ１０ｂとして３２１６サイズのチップ抵抗を用いた場合、伝送線路Ｍ１２の線路長と伝送線路Ｍ１３ａ，Ｍ１３ｂの線路長との差ΔＬ１（＝Ｌ１２−Ｌ１３）は−１．３ｍｍである。この１．３ｍｍの差は５ＧＨｚで約１１°の位相差を生じる。上述したように、この位相差を低減するために、伝送線路Ｍ１６の線路長と伝送線路Ｍ１７ａ，Ｍ１７ｂの各線路長との間に差ΔＬ２（＝Ｌ１６−Ｌ１７）が設けられる。ΔＬ２＝−Ｌ１／４であるため、ΔＬ２＝１．３ｍｍ／４＝０．３２５ｍｍである。
【００３２】
図５及び図６は、上記説明したプリント基板上に構成された不均等３分配器において、５ＧＨｚの周波数の信号を入力端子１１から入力した場合の出力をシミュレートした結果を示す図である。図５は、周波数帯域に対する出力信号の振幅特性を示す図である。図５中の符号Ｓ３１は、中央の経路を介して出力端子から出力された信号を示す。図５中の符号Ｓ２１，Ｓ４１は、両端の経路の一方を介して出力端子から出力された信号を示す。図５中の符号Ｓ１１は、入力端子１１から出力された反射信号を示す。図５に示すように、５ＧＨｚでの信号Ｓ３１の振幅は−１．６８ｄＢ、信号Ｓ２１，Ｓ４１の振幅は−８．７０ｄＢであり、信号Ｓ３１と信号Ｓ２１，Ｓ４１とでは約７ｄＢの振幅差がある。このため、電力分配比がほぼ１：４：１であることが分かる。
【００３３】
図６は、周波数帯域に対する出力ポート間の位相差を示す図である。図６中の符号Ｓ２１−Ｓ３１は、中央の経路を介して出力された信号に対する、両端の経路の一方を介して出力端子から出力された信号の位相差を示す。図６中の符号Ｓ２１−Ｓ４１は、両端の経路を介して出力端子から出力された２つの信号の位相差を示す。伝送線路Ｍ１６の折り返し部が影響して信号Ｓ２１と信号Ｓ４１とで特性に若干の違いはあるものの、図５に示すように、４〜６ＧＨｚの周波数帯域で信号Ｓ２１と信号Ｓ４１との振幅差は０．５ｄＢ以内であるため、アレーアンテナの指向特性に大きく影響を与えることはない。また、図６に示すように、３〜６ＧＨｚの周波数帯域で、位相差Ｓ２１−Ｓ３１が１０°以内であり、位相差Ｓ２１−Ｓ４１が１°以内である。このため、プリント基板上に構成された本実施形態の不均等３分配器も広帯域にわたって使用することができる。
【００３４】
以上説明したように、本実施形態の不均等３分配器によれば、入力端子１１からの入力信号を同相の信号に３分配して出力し、かつ中央と両端とで１：ｋ２：１（ｋは１以上の実数）のように異なる電力分配比の分配器を提供することができる。このように、中央の出力端子から出力される信号の電力を両端の出力端子から出力される信号の電力よりも大きくすることができるため、３つの放射素子を有するアレーアンテナを接続した際に、低サイドローブレベルの放射特性を実現することができる。
【００３５】
例えば、図７は、電力分配比が１：４：１に設定された本実施形態の不均等３分配器に接続されたアレーアンテナの放射特性を示す図である。一方、図８は、電力分配比が１：１：１に設定された本実施形態の不均等３分配器に接続されたアレーアンテナの放射特性を示す図である。図８に示されるサイドローブレベルは約−１２ｄＢであるのに対し、図７に示されるサイドローブレベルは約−２６ｄＢである。このように、各素子に対して任意の比で電力を給電することにより、サイドローブレベルを大きく低減できる。
【００３６】
（第２の実施形態）
図９は、第２の実施形態の不均等３分配器を示すブロック図である。第２の実施形態の不均等３分配器が第１の実施形態の不均等３分配器と異なる点は、伝送線路Ｍ１０と伝送線路Ｍ１２，Ｍ１３ａ，Ｍ１３ｂへの分岐点との間に伝送線路Ｍ２１が追加されたことである。この点以外は第１の実施形態と同様であり、図９において、図１と共通する構成要素には同じ参照符号が付されている。
【００３７】
伝送線路Ｍ２１はマイクロストリップラインであり、１／４波長の電気長を有する。伝送線路Ｍ２１の特性インピーダンスをＺ２１としたとき、１：ｋ２：１の電力分配比を実現するためには、各伝送線路の特性インピーダンス及び吸収抵抗が以下に示す関係を有する。
【００３８】
【数４】
2008038576.tif 000033
【００３９】
Ｚ１０＝５０．００Ωとしたとき、電力分配比が１：４：１（ｋ２＝４）の不均等３分配器とするためには、
Ｚ２１＝  ３７．９９Ω
Ｚ１２＝  ３２．９０Ω
Ｚ１３＝１３１．６１Ω
Ｚ１４＝  ３５．３６Ω
Ｚ１５＝  ７０．７１Ω
Ｒ２０＝１１２．５Ω
である必要がある。
【００４０】
図１０及び図１１は、上記説明した本実施形態の不均等３分配器において、５ＧＨｚの周波数の信号を入力端子１１から入力した場合の出力をシミュレートした結果を示す図である。なお、このシミュレーションでは、不均等３分配器が備える伝送線路Ｍ１３ａ，Ｍ１３ｂの各電気長も１／４波長とした。図１０は、周波数帯域に対する出力信号の振幅特性を示す図である。図１０に示す振幅特性が図２に示した第１の実施形態の振幅特性と異なる点は、符号Ｓ１１で示される反射信号のレベルが中心周波数（５ＧＨｚ）を中心に低いことである。また、符号Ｓ２１，Ｓ３１，Ｓ４１で示される信号の振幅変動が小さい。図１１は、周波数帯域に対する出力ポート間の位相差を示す図である。位相差について第１の実施形態と異なる点は特にない。
【００４１】
以下、本実施形態の不均等３分配器をプリント基板上に構成した例について説明する。図１２は、プリント基板上に構成された第２の実施形態の不均等３分配器のパターンを示す図である。プリント基板の誘電率εr＝２．６、誘電正接ｔａｎ δ＝０．００１５、プリント基板の厚さｔ＝０．８ｍｍとした場合、各伝送線路の線幅は以下のようになる。
Ｍ１０＝２．２ｍｍ
Ｍ２１＝３．３ｍｍ
Ｍ１２＝４．０ｍｍ
Ｍ１３ａ，Ｍ１３ｂ＝０．３ｍｍ
Ｍ１４＝３．６ｍｍ
Ｍ１５ａ，Ｍ１５ｂ＝１．２ｍｍ
Ｍ１６＝２．２ｍｍ
Ｍ１７ａ，Ｍ１７ｂ＝２．２ｍｍ
【００４２】
図１３及び図１４は、上記説明したプリント基板上に構成された不均等３分配器において、５ＧＨｚの周波数の信号を入力端子１１から入力した場合の出力をシミュレートした結果を示す図である。図１３は、周波数帯域に対する出力信号の振幅特性を示す図である。図１３に示す振幅特性が図５に示した第１の実施形態の振幅特性と異なる点は、符号Ｓ１１で示される反射信号のレベルが中心周波数（５ＧＨｚ）を中心に低いことである。また、符号Ｓ２１，Ｓ３１，Ｓ４１で示される信号の振幅変動が小さい。図１４は、周波数帯域に対する出力ポート間の位相差を示す図である。位相差について第１の実施形態と異なる点は特にない。
【００４３】
以上説明したように、本実施形態の不均等３分配器によれば、入力端子側への反射信号を抑えることができる。また、出力端子から出力される信号の振幅変動を小さくすることができる。
【００４４】
以上説明した第１の実施形態又は第２の実施形態の不均等３分配器と非特許文献２に示される不均等２分配器とを組み合わせることにより、５以上の奇数の出力端子を有する不均等分配器を提供することができる。図１５は、本発明に係る不均等３分配器と不均等２分配器とを備える５分配器を示す図である。図１５に示される５分配器は、３分配器３０と、２分配器３１，３２と、伝送線路３３〜３６とを備える。この５分配器で、３分配器３０の電力分配比を１：１．７８：１（＝９：１６：９）にし、２分配器３１，３２の電力分配比を１：８にすると、５分配器の電力分配比は１：８：１６：８：１となる。
【００４５】
上記説明した第１の実施形態及び第２の実施形態の各不均等３分配器では、伝送線路Ｍ１２と伝送線路Ｍ１３ａ，Ｍ１３ｂの線路長の差によって生じる位相差をキャンセルするために、伝送線路Ｍ１６の線路長と伝送線路Ｍ１７ａ，Ｍ１７ｂの各線路長との間に差が設けられる。但し、アレーアンテナのサイドローブレベルの低減といった効果は多少犠牲にはなるが、伝送線路Ｍ１６の線路長と伝送線路Ｍ１７ａ，Ｍ１７ｂの各線路長との間に差を設けなくても良い。また、インピーダンスマッチングを行わなければ、伝送線路Ｍ１０，Ｍ１６，Ｍ１７ａ，Ｍ１７ｂを除いた構成であっても良い。
【００４６】
また、上記説明した第１の実施形態及び第２の実施形態の各不均等３分配器では、伝送線路Ｍ１０に並列に接続された伝送線路Ｍ１２及び伝送線路Ｍ１３ａ，Ｍ１３ｂの内、伝送線路Ｍ１２の電気長が１／４波長であるが、伝送線路Ｍ１３ａ，Ｍ１３ｂの各電気長を１／４波長としても良い。
【００４７】
本発明を詳細にまた特定の実施態様を参照して説明したが、本発明の精神と範囲を逸脱することなく様々な変更や修正を加えることができることは当業者にとって明らかである。
【００４８】
本出願は、2006年9月25日出願の日本特許出願（特願2006−259285）に基づくものであり、その内容はここに参照として取り込まれる。
【産業上の利用可能性】
【００４９】
本発明に係る不均等３分配器は、入力信号を同相の３つの信号に分配してアンテナ素子等に給電する給電部等として有用である。
【図面の簡単な説明】
【００５０】
【図１】第１の実施形態の不均等３分配器を示すブロック図
【図２】周波数帯域に対する出力信号の振幅特性を示す図
【図３】周波数帯域に対する出力ポート間の位相差を示す図
【図４】プリント基板上に構成された第１の実施形態の不均等３分配器のパターンを示す図
【図５】周波数帯域に対する出力信号の振幅特性を示す図
【図６】周波数帯域に対する出力ポート間の位相差を示す図
【図７】電力分配比が１：４：１に設定された本実施形態の不均等３分配器に接続されたアレーアンテナの放射特性を示す図
【図８】電力分配比が１：１：１に設定された本実施形態の不均等３分配器に接続されたアレーアンテナの放射特性を示す図
【図９】第２の実施形態の不均等３分配器を示すブロック図
【図１０】周波数帯域に対する出力信号の振幅特性を示す図
【図１１】周波数帯域に対する出力ポート間の位相差を示す図
【図１２】プリント基板上に構成された第２の実施形態の不均等３分配器のパターンを示す図
【図１３】周波数帯域に対する出力信号の振幅特性を示す図
【図１４】周波数帯域に対する出力ポート間の位相差を示す図
【図１５】本発明に係る不均等３分配器と不均等２分配器とを備える５分配器を示す図
【図１６】４つの放射素子を有するアレーアンテナ及び４分配器を示す図
【図１７】図１６に示した４分配器が備えるウィルキンソン型２分配器の構成を示す図
【図１８】図１６に示した４つの放射素子のそれぞれに同レベルの電力を供給した場合のアレーアンテナの放射特性を示す図
【図１９】４つの放射素子の内の両端の放射素子に供給する電力レベルと中央の２つの放射素子に供給する電力レベルとの比を１：４とした場合のアレーアンテナの放射特性を示す図
【符号の説明】
【００５１】
１１  入力端子
１２〜１４  出力端子
Ｍ１０，Ｍ１２，Ｍ１３ａ，Ｍ１３ｂ，Ｍ１４，Ｍ１５ａ，Ｍ１５ｂ，Ｍ１６，Ｍ１７ａ，Ｍ１７ｂ，Ｍ２１  伝送線路
Ｒ１０ａ，Ｒ１０ｂ  吸収抵抗
【手続補正２】
【補正対象書類名】特許請求の範囲
【補正対象項目名】全文
【補正方法】変更
【補正の内容】
【特許請求の範囲】
【請求項１】
入力信号を中央と両端で電力比が異なる同相の信号に３分配する不均等３分配器であって、
前記入力信号が入力される入力端子と、
前記３分配された信号をそれぞれ出力する３つの出力端子と、
前記入力端子と前記３つの出力端子の間に設けられた、前記入力端子から分岐して前記３つの出力端子のそれぞれに接続された３つの伝送線路と、を備え、
前記３つの伝送線路の内、中央の出力端子に接続された伝送線路は、直列に接続された第１の伝送線路及び電気長が１／４波長の第２の伝送線路を有し、
前記３つの伝送線路の内、両端の出力端子に接続された２つの伝送線路のそれぞれは、直列に接続された第３の伝送線路及び電気長が１／４波長の第４の伝送線路を有し、
前記第１の伝送線路と前記第２の伝送線路の接続点と、前記第３の伝送線路と前記第４の伝送線路の接続点の間には吸収抵抗が設けられ、
前記第１の伝送線路又は前記第３の伝送線路の電気長が１／４波長であり、
前記中央の出力端子に接続された伝送線路は、前記第２の伝送線路に直列に接続された第５の伝送線路を有し、
前記両端の出力端子に接続された２つの伝送線路のそれぞれは、前記第４の伝送線路に直列に接続された第６の伝送線路を有し、
前記第１の伝送線路と前記第３の伝送線路の電気長の差ΔＬ１と、前記第５の伝送線路と前記第６の伝送線路の電気長の差ΔＬ２の関係は、ΔＬ２＝−ΔＬ１／４であり、
前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数１】
2008038576.tif 000034
の関係を有することを特徴とする不均等３分配器。
【請求項２】
請求項１に記載の不均等３分配器であって、
前記入力端子と前記３つの伝送線路との間に設けられた、電気長が１／４波長の第７の伝送線路を備え、
前記第５の伝送線路及び前記第６の伝送線路の各特性インピーダンスをＺ１０とし、前記第１の伝送線路の特性インピーダンスをＺ１２とし、前記第２の伝送線路の特性インピーダンスをＺ１４とし、前記第３の伝送線路の特性インピーダンスをＺ１３とし、前記第４の伝送線路の特性インピーダンスをＺ１５とし、前記第７の伝送線路の特性インピーダンスをＺ２１とし、前記吸収抵抗の抵抗値をＲ１０とした場合、前記電力比を１：ｋ２：１（ｋは１以上の実数）とするために、各伝送線路の特性インピーダンス及び前記吸収抵抗の抵抗値が、
【数２】
2008038576.tif 000035
の関係を有することを特徴とする不均等３分配器。
【請求項３】
請求項１又は２に記載の不均等３分配器と、
前記不均等３分配器が備える３つの出力端子のそれぞれに接続された３つのアンテナ素子を有するアレーアンテナと、
を備えることを特徴とするアンテナ装置。
【手続補正３】
【補正対象書類名】図面
【補正対象項目名】全図
【補正方法】変更
【補正の内容】
【図１】
2008038576.tif 000036
【図２】
2008038576.tif 000037
【図３】
2008038576.tif 000038
【図４】
2008038576.tif 000039
【図５】
2008038576.tif 000040
【図６】
2008038576.tif 000041
【図７】
2008038576.tif 000042
【図８】
2008038576.tif 000043
【図９】
2008038576.tif 000044
【図１０】
2008038576.tif 000045
【図１１】
2008038576.tif 000046
【図１２】
2008038576.tif 000047
【図１３】
2008038576.tif 000048
【図１４】
2008038576.tif 000049
【図１５】
2008038576.tif 000050
【図１６】
2008038576.tif 000051
【図１７】
2008038576.tif 000052
【図１８】
2008038576.tif 000053
【図１９】
2008038576.tif 000054
【国際調査報告】
2008038576.tif 000055
2008038576.tif 000056
2008038576.tif 000057
2008038576.tif 000058